(57)【要約】      （修正有）【課題】チャンネルのコピーを行なう場合に、コピーしたいパラメータだけを簡単にコピーすることができる音信号処理装置、音信号処理方法およびプログラムを提供する。【解決手段】音信号処理装置はタッチスクリーン５１を有し、コピーすべきパラメータを規定したプリセットの設定を受け付けるプリセット設定受付部（プリセットボタン群５０４）と、コピー元チャンネルの指定を受け付けるコピー元指定受付部（コピー元チャンネル指定ボタン５０１）と、前記プリセットの選択を受け付けるプリセット選択受付処理と、コピー先チャンネルの指定を受け付けるコピー先指定受付部（コピー先チャンネル指定ボタン５０２）と、選択された前記プリセットに規定されている前記コピーすべきパラメータに基づいて、前記コピー元チャンネルのパラメータを前記コピー先のチャンネルのパラメータにコピーするコピー処理部と、を備えている。【選択図】図４
2020123803.tif 000002
【特許請求の範囲】
【請求項１】
コピーすべきパラメータを規定したプリセットの設定を受け付けるプリセット設定受付部と、
コピー元チャンネルの指定を受け付けるコピー元指定受付部と、
前記プリセットの選択を受け付けるプリセット選択受付処理と、
コピー先チャンネルの指定を受け付けるコピー先指定受付部と、
選択された前記プリセットに規定されている前記コピーすべきパラメータに基づいて、前記コピー元チャンネルのパラメータを前記コピー先チャンネルのパラメータにコピーするコピー処理部と、
を備えた音信号処理装置。
【請求項２】
前記プリセットの設定には、プラグインの情報が含まれていて、
前記コピー処理部は、前記プリセットの設定に前記プラグインの情報が含まれている場合、対応するプラグインをマウントして、前記コピー先チャンネルに該対応するプラグインを設定する、
請求項１に記載の音信号処理装置。
【請求項３】
前記コピー処理部は、前記コピー元チャンネルの再生方式と、前記コピー先チャンネルの再生方式と、を確認し、
前記コピー元チャンネルと前記コピー先チャンネルとが異なる再生方式のチャンネルである場合には、前記コピー先チャンネルの再生方式のプラグインで、かつ前記コピー元チャンネルのプラグインと同一の種類または類似する種類のプラグインをマウントする、
請求項２に記載の音信号処理装置。
【請求項４】
前記コピー処理部は、前記対応するプラグインが無い場合に、前記プラグインをマウントしない、
請求項２または請求項３に記載の音信号処理装置。
【請求項５】
前記コピー処理部は、前記対応するプラグインが無い場合に、警告表示を行なう、
請求項４に記載の音信号処理装置。
【請求項６】
前記コピー処理部は、マウントすべきプラグインに必要なリソースを確認し、当該リソースに空きがない場合に、前記プラグインをマウントしない、
請求項２乃至請求項５のいずれか１項に記載の音信号処理装置。
【請求項７】
前記コピー処理部は、前記リソースに空きがない場合に、警告表示を行なう、
請求項６に記載の音信号処理装置。
【請求項８】
前記確認は、前記コピー先チャンネルのパラメータにコピーする前に予め行なう、
請求項６または請求項７に記載の音信号処理装置。
【請求項９】
前記プリセットの設定には、複数チャンネルの信号を入力してゲイン調整を行ない、複数チャンネルの信号を出力するオートミキサに関する情報が含まれていて、
前記コピー処理部は、前記プリセットの設定に、前記オートミキサに関する情報が含まれている場合には、前記複数チャンネルの割り当てに係る情報をコピーして、パラメータの値をコピーしない、
請求項１乃至請求項８のいずれか１項に記載の音信号処理装置。
【請求項１０】
コピーすべきパラメータを規定したプリセットの設定を受け付けることと、
コピー元チャンネルの指定を受け付けることと、
前記プリセットの選択を受け付けることと、
コピー先チャンネルの指定を受け付けることと、
選択された前記プリセットに規定されている前記コピーすべきパラメータに基づいて、前記コピー元チャンネルのパラメータを前記コピー先チャンネルのパラメータにコピーすることと、
を備えた音信号処理方法。
【請求項１１】
前記プリセットの設定には、プラグインの情報が含まれていて、
前記コピーすることにおいて、前記プリセットの設定に前記プラグインの情報が含まれている場合、対応するプラグインをマウントし、前記コピー先チャンネルに該対応するプラグインを設定する、
請求項１０に記載の音信号処理方法。
【請求項１２】
前記コピーすることにおいて、前記コピー元チャンネルの再生方式と、前記コピー先チャンネルの再生方式と、を確認し、
前記コピー元チャンネルと前記コピー先チャンネルとが異なる再生方式のチャンネルである場合には、前記コピー先チャンネルの再生方式のプラグインで、かつ前記コピー元チャンネルのプラグインと同一の種類または類似する種類のプラグインをマウントする、
請求項１１に記載の音信号処理方法。
【請求項１３】
前記コピーすることにおいて、前記対応するプラグインが無い場合に、前記プラグインをマウントしない、
請求項１１または請求項１２に記載の音信号処理方法。
【請求項１４】
前記コピーすることにおいて、前記対応するプラグインが無い場合に、警告表示を行なう、
請求項１３に記載の音信号処理方法。
【請求項１５】
前記コピーすることにおいて、マウントすべきプラグインに必要なリソースを確認し、当該リソースに空きがない場合に、前記プラグインをマウントしない、
請求項１１乃至請求項１４のいずれか１項に記載の音信号処理方法。
【請求項１６】
前記コピーすることにおいて、前記リソースに空きがない場合に、警告表示を行なう、
請求項１５に記載の音信号処理方法。
【請求項１７】
前記確認は、前記コピー先チャンネルのパラメータにコピーする前に予め行なう、
請求項１５または請求項１６に記載の音信号処理方法。
【請求項１８】
前記プリセットの設定には、複数チャンネルの信号を入力してゲイン調整を行ない、複数チャンネルの信号を出力するオートミキサに関する情報が含まれていて、
前記コピーすることにおいて、前記プリセットの設定に、前記オートミキサに関する情報が含まれている場合には、前記複数チャンネルの割り当てに係る情報をコピーして、パラメータの値をコピーしない、
請求項１０乃至請求項１７のいずれか１項に記載の音信号処理方法。
【請求項１９】
コピーすべきパラメータを規定したプリセットの設定を受け付けることと、
コピー元チャンネルの指定を受け付けることと、
前記プリセットの選択を受け付けることと、
コピー先チャンネルの指定を受け付けることと、
選択された前記プリセットに規定されている前記コピーすべきパラメータに基づいて、前記コピー元チャンネルのパラメータを前記コピー先チャンネルのパラメータにコピーすることと、
を音信号処理装置に実行させるプログラム。
【発明の詳細な説明】
【技術分野】
【０００１】
この発明の一実施形態は、音信号処理装置、音信号処理方法、およびプログラムに関する。
【背景技術】
【０００２】
特許文献１には、あるチャンネルのパラメータの内容を他のチャンネルにコピーする、チャンネルコピー機能が開示されている。
【先行技術文献】
【特許文献】
【０００３】
【特許文献１】特開２００７−０７４３２５号公報
【発明の概要】
【発明が解決しようとする課題】
【０００４】
チャンネルのコピーを行なう場合に、ユーザは、コピーしたいパラメータと、コピーしたくないパラメータと、がある。
【０００５】
そこで、この発明の一実施形態は、チャンネルのコピーを行なう場合に、コピーしたいパラメータだけを簡単にコピーすることができる、音信号処理装置、音信号処理方法、およびプログラムを提供することを目的とする。
【課題を解決するための手段】
【０００６】
本発明の一実施形態に係る音信号処理装置は、コピーすべきパラメータを規定したプリセットの設定を受け付けるプリセット設定受付部と、コピー元チャンネルの指定を受け付けるコピー元指定受付部と、前記プリセットの選択を受け付けるプリセット選択受付処理と、コピー先チャンネルの指定を受け付けるコピー先指定受付部と、選択された前記プリセットに規定されている前記コピーすべきパラメータに基づいて、前記コピー元チャンネルのパラメータを前記コピー先のチャンネルのパラメータにコピーするコピー処理部と、を備えている。
【発明の効果】
【０００７】
本発明の一実施形態によれば、チャンネルのコピーを行なう場合に、コピーしたいパラメータだけを簡単にコピーすることができる。
【図面の簡単な説明】
【０００８】
【図１】オーディオミキサの構成を示すブロック図である。
【図２】信号処理部１４、オーディオＩ／Ｏ１３、およびＣＰＵ１８で行われる信号処理の等価ブロック図である。
【図３】ミキサ１の操作パネルの構成を示す図である。
【図４】ＧＵＩの一例を示す図である。
【図５】チャンネルコピーの動作を示すフローチャートである。
【図６】プリセット編集画面を示す図である。
【図７】プラグインのコピーを行なう場合のＣＰＵ１８の動作を示すフローチャートである。
【図８】ＤＳＰのリソースを模式的に示したアロケーション画面である。
【図９】プラグインの一覧画面を示す図である。
【発明を実施するための形態】
【０００９】
図１は、ミキサ１の構成を示すブロック図である。ミキサ１は、本発明の音信号処理装置の一例である。ミキサ１は、表示器１１、操作部１２、オーディオＩ／Ｏ（Input/Output）１３、信号処理部１４、ＰＣ＿Ｉ／Ｏ１５、ＭＩＤＩ＿Ｉ／Ｏ１６、その他（Ｏｔｈｅｒ）＿Ｉ／Ｏ１７、ＣＰＵ１８、フラッシュメモリ１９、およびＲＡＭ２０を備えている。
【００１０】
バス２５は、表示器１１、操作部１２、オーディオＩ／Ｏ１３、信号処理部１４、ＰＣ＿Ｉ／Ｏ１５、ＭＩＤＩ＿Ｉ／Ｏ１６、その他＿Ｉ／Ｏ１７、ＣＰＵ１８、フラッシュメモリ１９、およびＲＡＭ２０を、互いに接続する。また、オーディオＩ／Ｏ１３および信号処理部１４は、デジタルオーディオ信号を伝送するための波形バス２７にも接続される。
【００１１】
オーディオＩ／Ｏ１３は、信号処理部１４で処理すべき音信号の入力を受け付けるためのインタフェースである。オーディオＩ／Ｏ１３には、音信号の入力を受け付けるアナログ入力ポートまたはデジタル入力ポート等が設けられている。また、オーディオＩ／Ｏ１３は、信号処理部１４で処理された後の音信号を出力するためのインタフェースである。オーディオＩ／Ｏ１３には、音信号を出力するアナログ出力ポートまたはデジタル出力ポート等が設けられている。
【００１２】
ＰＣ＿Ｉ／Ｏ１５、ＭＩＤＩ＿Ｉ／Ｏ１６、およびその他＿Ｉ／Ｏ１７は、それぞれ、種々の外部機器を接続し、入出力を行うためのインタフェースである。ＰＣ＿Ｉ／Ｏ１５は、例えば外部のＰＣを接続する。ＭＩＤＩ＿Ｉ／Ｏ１６は、例えばフィジカルコントローラまたは電子楽器のようなＭＩＤＩ対応機器を接続する。その他＿Ｉ／Ｏ１７は、例えばディスプレイを接続する。あるいは、その他＿Ｉ／Ｏ１７は、マウスまたはキーボード等のＵＩ（User Interface）デバイスを接続する。外部機器との通信に用いる規格は、イーサネット（登録商標）、またはＵＳＢ（Universal Serial Bus）等、任意のものを採用することができる。接続態様は、有線でも無線でも構わない。
【００１３】
ＣＰＵ１８は、ミキサ１の動作を制御する制御部である。ＣＰＵ１８は、記憶部であるフラッシュメモリ１９に記憶された所定のプログラムをＲＡＭ２０に読み出すことにより各種の動作を行なう。ＣＰＵ１８は、プログラムにより、コピーすべきパラメータを規定したプリセットの設定を受け付けるプリセット設定受付部と、コピー元チャンネルの指定を受け付けるコピー元指定受付部と、前記プリセットの選択を受け付けるプリセット選択受付処理と、コピー先チャンネルの指定を受け付けるコピー先指定受付部と、選択された前記プリセットに規定されている前記コピーすべきパラメータに基づいて、前記コピー元チャンネルのパラメータを前記コピー先のチャンネルのパラメータにコピーするコピー処理部と、を構成する。なお、プログラムは、自装置のフラッシュメモリ１９に記憶している必要はない。例えば、サーバ等の他装置から都度ダウンロードして、ＲＡＭ２０に読み出してもよい。
【００１４】
表示器１１は、ＣＰＵ１８の制御に従って種々の情報を表示する。表示器１１は、例えばＬＣＤまたは発光ダイオード（ＬＥＤ）等である。
【００１５】
操作部１２は、ユーザからミキサ１に対する操作を受け付ける。操作部１２は、種々のキー、ボタン、ロータリーエンコーダ、またはスライダ等によって構成される。また、操作部１２は、表示器１１であるＬＣＤに積層したタッチパネルによって構成される場合もある。
【００１６】
信号処理部１４は、ミキシング処理またはエフェクト処理等の各種信号処理を行なうための複数のＤＳＰから構成される。信号処理部１４は、オーディオＩ／Ｏ１３から波形バス２７を介して供給される音信号に、ミキシングまたはイコライジング等のエフェクト処理を施す。信号処理部１４は、信号処理後のデジタルオーディオ信号を、波形バス２７を介して再びオーディオＩ／Ｏ１３に出力する。
【００１７】
図２は、信号処理部１４、オーディオＩ／Ｏ１３、およびＣＰＵ１８で行われる信号処理の等価ブロック図である。図２に示すように、信号処理は、機能的に、入力パッチ３０１、入力チャンネル３０２、バス３０３、出力チャンネル３０４、および出力パッチ３０５によって行う。
【００１８】
入力パッチ３０１は、オーディオＩ／Ｏ１３における複数の入力ポート（例えばアナログ入力ポートまたはデジタル入力ポート）からオーディオ信号を入力して、複数のポートのうちいずれか１つのポートを、複数チャンネル（例えば３２ｃｈ）の少なくとも１つのチャンネルに割り当てる。
【００１９】
入力チャンネル３０２の各チャンネルは、入力したオーディオ信号に所定の信号処理を施す。入力チャンネル３０２の各チャンネルは、信号処理後のオーディオ信号を、後段のバス３０３に送出する。バス３０３は、ステレオバス（Ｌ，Ｒバス）、ＭＩＸバス等の複数のバスを有する。
【００２０】
出力チャンネル３０４は、バス３０３と同様に複数のチャンネルを有する。出力チャンネル３０４における各チャンネルは、入力チャンネルと同様に、入力されるオーディオ信号に対して、各種信号処理を施す。
【００２１】
出力チャンネル３０４の各チャンネルは、信号処理後のオーディオ信号を出力パッチ３０５へ送出する。出力パッチ３０５は、各チャンネルを、アナログ出力ポートまたはデジタル出力ポートにおける複数のポートのうちいずれか１つのポートに割り当てる。これにより、信号処理を施された後のオーディオ信号が、オーディオＩ／Ｏ１３に供給される。
【００２２】
以上の信号処理は、各パラメータの値に基づいて制御される。ＣＰＵ１８は、各パラメータの現在の値（カレントデータ）をＲＡＭ２０に記憶する。ＣＰＵ１８は、ユーザが操作部１２を操作したときにカレントデータを更新する。
【００２３】
また、入力チャンネル３０２は、プラグインエフェクトを挿入するための挿入ポイント（ＩＮＳＥＲＴ）３０２Ａを備えている。ユーザは、操作部１２を操作して、ＩＮＳＥＲＴ３０２Ａに、プラグインを配置する指示を行うことで、プラグインを所望の信号処理ブロックに接続することができる。なお、ＩＮＳＥＲＴ３０２Ａは、出力チャンネルに配置することも可能である。
【００２４】
ＣＰＵ１８は、信号処理部１４におけるＤＳＰの処理能力（リソース）を、プラグインに割り当てることで、該プラグインをマウントさせる。これにより、ＣＰＵ１８は、信号処理部１４に、プラグインに対応する信号処理を実行させる。以下、「プラグインをマウントする」とは、プラグインにＤＳＰのリソースを割り当て、そのプラグインの信号処理を実行させることを意味する。
【００２５】
プラグインによる信号処理も、パラメータの現在値（カレントデータ）に基づいて制御する。プラグインのパラメータも、上述したカレントデータに含まれる。プラグインは、リバーブ、ディレイ、またはコーラス等の各種の効果を実現するためのパラメータであり、フラッシュメモリ１９に記憶されている。これらパラメータは、フラッシュメモリ１９から読み出され、ＲＡＭ２０に、カレントデータとして記憶される。この様にして、信号処理部１４は、プラグインをマウントして、信号処理を行う。
【００２６】
図３は、ミキサ１の操作パネルの構成を示す図である。ミキサ１の操作パネル上には、図３に示すように、タッチスクリーン５１およびチャンネルストリップ６１等が設けられている。これら構成は、図１に示した表示器１１および操作部１２に相当する。なお、図４では、タッチスクリーン５１およびチャンネルストリップ６１だけが示されているが、実際には多数のノブまたはスイッチ等が設けられている。
【００２７】
タッチスクリーン５１は、操作部１２の一態様であるタッチパネルを積層した表示器１１であり、ユーザの操作を受け付けるためのＧＵＩ（グラフィカルユーザインタフェース）画面を表示する。
【００２８】
チャンネルストリップ６１は、１つのチャンネルに対する操作を受け付ける複数の操作子を縦に並べて配置した領域である。この図では、操作子として、チャンネル毎に１つフェーダと１つのノブだけが表示されているが、実際には多数のノブまたはスイッチ等が設けられている。チャンネルストリップ６１のうち、左側に配置された複数のフェーダおよびノブは、入力チャンネルに相当する。右側に配置された２つのフェーダおよびノブは、マスタ出力（ステレオバス）に対応する操作子である。なお、この実施形態では、操作子は、画像として表示されているが、例えば、操作部１２に含まれるスライダ等の物理的な操作機構であってもよい。
【００２９】
図４は、ＧＵＩの一例として、チャンネルコピー画面を示す図である。チャンネルコピー画面は、コピー元チャンネル指定ボタン５０１、コピー先チャンネル指定ボタン５０２、実行ボタン５０３、プリセットボタン群５０４、およびチャンネルボタン群５０６を有する。プリセットボタン群５０４は、複数のプリセットボタン５０５を有する。チャンネルボタン群５０６は、複数のチャンネルボタン５０７を有する。
【００３０】
ユーザは、チャンネルコピー画面のチャンネルコピー画面は、コピー元チャンネル指定ボタン５０１、コピー先チャンネル指定ボタン５０２、実行ボタン５０３、プリセットボタン群５０４、およびチャンネルボタン群５０６を操作することで、任意の１または複数のチャンネルのパラメータを、任意の１または複数のチャンネルのパラメータにコピーすることができる。
【００３１】
図５は、チャンネルコピーの動作を示すフローチャートである。ＣＰＵ１８は、まずプリセットの設定を受け付ける（Ｓ１１）。例えば、ユーザがプリセットボタン群５０４のうちいずれかのプリセットボタン５０５を長押しすると、図６に示すプリセット編集画面が表示される。図６の例は、図５のプリセットボタン５０５のうち、「ＥＱ」と表示されていたボタンを長押しした場合に表示される。
【００３２】
プリセット編集画面は、プリセット名７０１、パラメータ群７０２、およびプラグインボタン７０４を含む。パラメータ群７０２は、複数のパラメータボタン７０３を含む。ユーザは、プリセット編集画面で、プリセットの設定を行なう。プリセットの設定は、プリセット名、およびコピーすべきパラメータの対象を含む。
【００３３】
ユーザは、プリセット名７０１を選択して、プリセットの名称を変更する。また、ユーザは、プリセットの色を設定してもよい。図６の例では、「ＥＱ」という名称を設定している。図６の例では、ユーザは、ＥＱのパラメータボタン７０３を選択している。したがって、プリセット名「ＥＱ」のプリセットボタン５０５を選択すると、信号処理としてイコライザのパラメータをコピーすることになる。
【００３４】
図５に戻り、ＣＰＵ１８は、コピー元チャンネルの指定を受け付ける（Ｓ１２）。ユーザは、図４のコピー元チャンネル指定ボタン５０１を選択し、かつチャンネルボタン群５０６の各チャンネルボタン５０７を選択して、コピー元チャンネルの指定を行なう。例えば、図４の例では、コピー元チャンネルとして入力チャンネル１が選択されている。
【００３５】
その後、ＣＰＵ１８は、プリセットの選択を受け付ける（Ｓ１３）。ユーザは、図４のプリセットボタン群５０４の各プリセットボタン５０５を選択することで、プリセットの選択を行なう。例えば、図４の例では、プリセットとして「ＥＱ」が選択されている。
【００３６】
次に、ＣＰＵ１８は、コピー先チャンネルの指定を受け付ける（Ｓ１４）。ユーザは、図４のコピー先チャンネル指定ボタン５０２を選択し、かつチャンネルボタン群５０６の各チャンネルボタン５０７を選択することで、コピー先チャンネルの指定を行なう。例えば、図４の例では、入力チャンネル３、入力チャンネル４、および入力チャンネル５がコピー先チャンネルとして選択されている。
【００３７】
最後に、ユーザが実行ボタン５０３を選択すると、ＣＰＵ１８は、選択されたプリセットに基づいて、パラメータのコピー処理を行なう（Ｓ１５）。図４の例では、ＣＰＵ１８は、入力チャンネル１のパラメータのうち、イコライザのパラメータを入力チャンネル３、入力チャンネル４、および入力チャンネル５にコピーする。
【００３８】
このように、本実施形態のミキサ１は、チャンネルコピーを行なう際に、プリセットの選択を行なうだけで、コピーしたいパラメータと、コピーしたくないパラメータと、を選択することができる。したがって、ユーザは、チャンネルコピーを行なう際に、全てのパラメータから、その都度、コピーしたいパラメータを選び出す必要はない。
【００３９】
図７は、プラグインのコピーを行なう場合のＣＰＵ１８の動作を示すフローチャートである。図５と共通する処理については同一の符号を付し、説明を省略する。
【００４０】
ＣＰＵ１８は、コピー先チャンネルの指定を受け付けた後に、プラグインのコピーを行なうか否かを判断する（Ｓ２５）。図６に示す様に、プリセットの設定には、プラグインの情報が含まれている。プラグインボタン７０４を選択されていると、プラグインのコピーも行なう。プラグインのコピーを行なわないと判断した場合には、ＣＰＵ１８は、パラメータをコピーする（Ｓ１５）。
【００４１】
ＣＰＵ１８は、プラグインのコピーを行なう場合、まずＤＳＰのリソースを確認する（Ｓ２６）。図８は、ＤＳＰのリソースを模式的に示したアロケーション画面である。ＣＰＵ１８は、図８のアロケーション画面に示す様に、ＤＳＰのリソースを予め複数ブロック（図８の例では１６×８ブロック）として確保している。図８の例では、４ブロックを占有するプラグインが４つ、３ブロックを占有するプラグインが５つ、マウントされている。したがって、この状態では、ＤＳＰのリソースに空きがある。
【００４２】
次に、ＣＰＵ１８は、ＤＳＰのリソースに空きがあれば、対応するプラグインをマウントする（Ｓ２７）。対応するプラグインとは、例えば同一のプラグインである。例えば、図４の例で、入力チャンネル１にプラグインエフェクトとしてディレイを設定していた場合、ＣＰＵ１８は、新たに入力チャンネル３、入力チャンネル４、および入力チャンネル５に対するエフェクトとして、同一のディレイのプラグインをマウントする。さらに、ＣＰＵ１８は、Ｓ１５の処理において、入力チャンネル１のプラグインに設定されていたパラメータもコピーする。これにより、ＣＰＵ１８は、コピー先チャンネルの指定を受け付けた後に、プラグインのコピーを行なう。なお、対応するプラグインとは、類似するプラグインを含む。類似するプラグインとは、同一のメーカのプラグイン、同一の種類のプラグイン、または類似する種類のプラグインを含む。種類とは、例えば、エフェクト名またはモデル名のことを言う。例えば、効果が異なっていても「ディレイ」という同一のエフェクト名のプラグインは、同一の種類のプラグインである。また、メーカまたは種類が異なっても、ユーザが初期設定等で類似するプラグインとして予め登録しておいてもよい。その場合、ＣＰＵ１８は、予め登録されたプラグインを類似するプラグインとして、コピー先チャンネルに設定する。
【００４３】
一方で、ＣＰＵ１８は、ＤＳＰのリソースに空きがない場合、警告表示を行う（Ｓ２８）。この場合、ＣＰＵ１８は、プラグインをマウントしないで処理を終える。警告表示により、ユーザは、ＤＳＰのリソースに空きがないことを知ることができる。ただし、ＣＰＵ１８は、警告表示をせず、かつプラグインをマウントしないで処理を終えてもよい。また、ＣＰＵ１８は、警告表示を行なった後に待機し、所定時間の経過後に再びＳ２６の判断を行なってもよい。この場合、ユーザが手動で他のプラグインのマウントを解除し、ＤＳＰのリソースに空きが生じた場合に、新たなプラグインをマウントすることができる。
【００４４】
なお、ＣＰＵ１８は、図４の例の様に複数チャンネルに対してプラグインをマウントする場合、各チャンネルに対して順次プラグインをマウントして、リソースに空きがなくなった時点で警告表示を行なって、マウントを中止してもよい。また、図７のフローチャートでは、前記コピー先のチャンネルのパラメータにコピーする前に予めＤＳＰのリソースを確認しているが、先にパラメータをコピーして、その後にＤＳＰのリソースを確認してもよい。
【００４５】
通常、新たなプラグインをマウントする場合、ユーザは、図８に示したアロケーション画面でプラグインをマウントして、さらにパラメータの設定を行なう必要がある。しかし、本実施形態のミキサ１は、チャンネルコピーの指示を受け付けるだけで、プラグインのマウントおよびパラメータの設定も行なう。よって、ユーザは、チャンネルコピーの指示を行なうだけで、新たなプラグインを他のチャンネルに設定することができる。
【００４６】
図９は、プラグインの一覧画面である。プラグインの一覧画面は、プラグイン毎にインサートイン、およびインサートアウトのチャンネルを表示する。
【００４７】
プラグインは、モノラル、ステレオ、またはデュアルモノラル等の再生方式に対応している。例えば、図９に示すディレイ（Ｄｅｌａｙ）のプラグインは、モノラルの再生方式に対応している。図９に示すディレイ（Ｄｅｌａｙ）のプラグインは、イン側およびアウト側ともに入力チャンネル１を接続する。図９に示すゲートリバーブ（Ｇａｔｅ  Ｒｅｖｅｒｂ）は、ステレオの再生方式に対応している。図９に示すゲートリバーブ（Ｇａｔｅ  Ｒｅｖｅｒｂ）のプラグインは、イン側およびアウト側ともに入力チャンネル２および入力チャンネル３を接続する。図９に示すイコライザ（Ｅｑｕａｌｉｚｅｒ）は、デュアルモノラルの再生方式に対応している。図９に示すイコライザ（Ｅｑｕａｌｉｚｅｒ）のプラグインは、イン側およびアウト側ともに入力チャンネル７および入力チャンネル８を接続する。図９に示すコーラス（Ｃｈｏｒｕｓ）は、イン側にモノラルの再生方式、アウト側にステレオの再生方式に対応している。図９に示すコーラス（Ｃｈｏｒｕｓ）のプラグインは、イン側に入力チャンネル９を接続し、アウト側に入力チャンネル９および入力チャンネル１０を接続する。
【００４８】
ＣＰＵ１８は、Ｓ２７の処理でプラグインをマウントする際、コピー元チャンネルの再生方式と、コピー先チャンネルの再生方式と、を確認する。そして、ＣＰＵ１８は、コピー元チャンネルとコピー先チャンネルとが異なる再生方式のチャンネルである場合には、コピー先チャンネルの再生方式のプラグインで、かつコピー元チャンネルと同一の種類または類似する種類のプラグインをマウントする。
【００４９】
例えば、コピー元チャンネルがステレオ（例えば入力チャンネル２および入力チャンネル３）である場合、当該コピー元チャンネルには、ステレオの再生方式に対応したプラグインが挿入されている。一方で、コピー先チャンネルがモノラル（例えば入力チャンネル１）である場合、ＣＰＵ１８は、モノラルの再生方式に対応したプラグインをマウントする。また、ＣＰＵ１８は、コピー元チャンネルと同一の種類または類似する種類のプラグインをマウントする。例えば、ＣＰＵ１８は、コピー元チャンネルと同じエフェクト名であるゲートリバーブで、モノラルの再生方式に対応したゲートリバーブをマウントする。
【００５０】
また、コピー先チャンネルがデュアルモノラル（例えば入力チャンネル７および入力チャンネル８）である場合、ＣＰＵ１８は、ステレオの再生方式に対応したプラグインをマウントしないで、コピー先チャンネルの再生方式である、デュアルモノラルの再生方式に対応したプラグインをマウントする。
【００５１】
また、ＣＰＵ１８は、異なる再生方式のプラグインをマウントしてもよい。例えば、入力チャンネル２および入力チャンネル３はステレオである。入力チャンネル２および入力チャンネル３には、ステレオの再生方式に対応したゲートリバーブのプラグインが挿入されている。ここで、例えば、モノラルのチャンネル４に対して、ステレオの再生方式に対応したゲートリバーブのプラグインを挿入してもよい。この場合、ＣＰＵ１８は、入力チャンネル２または入力チャンネル３のいずれかに設定されているプラグインのパラメータを、入力チャンネル４に挿入するプラグインのパラメータとしてコピーする。
【００５２】
また、ＣＰＵ１８は、対応するプラグインが無い場合に、コピー先チャンネルに対してプラグインをマウントしないようにしてもよい。例えば、コピー元チャンネルがステレオであり、コピー先チャンネルがモノラルである場合において、モノラルに対応した同一の種類のプラグインも類似する種類のプラグインもない場合、ＣＰＵ１８は、プラグインをマウントしない。
【００５３】
また、コピー元チャンネルにステレオのゲイン変更用プラグインが設定されていて、コピー先チャンネルがモノラルである場合、ＣＰＵ１８は、対応するプラグインが無いと判定して、プラグインをマウントしないようにしてもよい。ステレオのゲイン設定は、各チャンネルのパラメータ値が全く異なる場合がある。したがって、コピー元チャンネルにモノラルのゲイン変更用プラグインが設定されていて、コピー先チャンネルがステレオである場合、ＣＰＵ１８は、対応するプラグインが無いと判定して、コピー先チャンネルにプラグインをマウントしないようにしてもよい。ただし、ＣＰＵ１８は、ステレオの各チャンネルのゲインの平均値、最大値または最小値等をモノラルのパラメータ値に反映することで、モノラルのゲイン変更用プラグインをマウントしてもよい。また、ＣＰＵ１８は、ステレオのチャンネル間で共有されるパラメータを、そのままモノラルのパラメータ値に反映して、モノラルのプラグインをマウントしてもよい。また、コピー元チャンネルにモノラルのゲイン変更用プラグインが設定されていて、コピー元チャンネルがステレオである場合、ＣＰＵ１８は、ステレオの各チャンネルに同じゲインを設定して、ステレオのゲイン変更用プラグインをマウントしてもよい。
【００５４】
なお、ＣＰＵ１８は、対応するプラグインが無い場合に、警告表示を行なってもよい。
【００５５】
なお、ＣＰＵ１８は、コピーするプラグインにオートミキサが含まれていた場合、パラメータのコピーを行なわずに、チャンネルの割り当てに関する情報のみコピーしてもよい。オートミキサは、複数チャンネルの信号を入力してゲイン調整を行ない、複数チャンネルの信号を出力するプラグインである。オートミキサは、レベルの高い入力信号に対して高いゲインを設定し、レベルの低い入力信号に対して低いゲインを設定する。これにより、オートミキサは、レベルの高いチャンネルの音を際立たせて、ＳＮ比を向上させる。
【００５６】
オートミキサは、入力信号のレベルに応じて、動的にゲインを変化させる。すなわち、オートミキサのパラメータは、動的に変化する。したがって、ＣＰＵ１８は、オートミキサのプラグインをコピーする場合、入力および出力の複数チャンネルの割り当てに係る情報のみコピーして、パラメータの値をコピーしない。
【００５７】
本実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５８】
１…ミキサ
１１…表示器
１２…操作部
１３…オーディオＩ／Ｏ
１４…信号処理部
１５…ＰＣ＿Ｉ／Ｏ
１６…ＭＩＤＩ＿Ｉ／Ｏ
１７…Ｏｔｈｅｒ＿Ｉ／Ｏ
１８…ＣＰＵ
１９…フラッシュメモリ
２０…ＲＡＭ
２５…バス
２７…波形バス
５１…タッチスクリーン
６１…チャンネルストリップ
３０１…入力パッチ
３０２…入力チャンネル
３０２Ａ…ＩＮＳＥＲＴ
３０３…バス
３０４…出力チャンネル
３０５…出力パッチ
５０１…コピー元チャンネル指定ボタン
５０２…コピー先チャンネル指定ボタン
５０３…実行ボタン
５０４…プリセットボタン群
５０５…プリセットボタン
５０６…チャンネルボタン群
５０７…チャンネルボタン
７０１…プリセット名
７０２…パラメータ群
７０３…パラメータボタン
７０４…プラグインボタン
【図１】
2020123803.tif 000003
【図２】
2020123803.tif 000004
【図３】
2020123803.tif 000005
【図４】
2020123803.tif 000006
【図５】
2020123803.tif 000007
【図６】
2020123803.tif 000008
【図７】
2020123803.tif 000009
【図８】
2020123803.tif 000010
【図９】
2020123803.tif 000011